(57)【要約】【課題】使用者が電気掃除機を安定した状態でコンパクトに収納することができ、また収納状態でも持ち運びの移動を容易にする。【解決手段】電機掃除機本体２１の底面に溝部Ａ１０および溝部Ｂ１１の二ヶ所を設ける。前記溝部二箇所に係合するつめ部Ａ３７およびつめ部３８をホース先端部３２及び延長管３４に設けることで、前記両嵌合部は電機掃除機本体２１に直接固定されるため全高を低くした状態で収納され、電機掃除機本体に直接取り付けているためその状態でも安定する。また取っ手部３９を持ち電機掃除機本体２１を運んだ場合でも、床ノズル先端部４０が自重で下がろうとするが、床ノズル後端部４１が電機掃除機本体２１と当接する位置に溝部Ｂ１１を設けているので、床置き時に床ノズル先端部４０が床に当たることなく置けるので、容易に移動が可能である。【選択図】図１
2008212387.tif 000002
【特許請求の範囲】
【請求項１】
塵埃を吸引する為の吸引風を発生する電動送風機と前記電動送風機の上流側に設けた塵埃を捕集する集塵室と前記集塵室に連通する吸気口とを有する電機掃除機本体と、前記吸気口に接続パイプ部によって接続されるホースと、前記ホースに接続される延長管と、前記延長管の先端に連結される床ノズルとを具備し、前記電気掃除機本体は、延長管及び／又はホースを固定する為の係止部を底面に複数備え、前記ホース及び前記延長管は前記係止部に係止される係止片をそれぞれ備えたことを特徴とする電気掃除機。
【請求項２】
複数の係止部は、電気掃除機本体を立てた状態において互いに高さが異なるように設けたことを特徴とする請求項１に記載の電気掃除機。
【請求項３】
円筒形状のコード巻取り装置を有し、複数の係止部の内少なくとも１つを前記コード巻取り装置の外周と電機掃除機本体の底面との間で構成される空間に位置させたことを特徴とする請求項１または２に記載の電気掃除機。
【請求項４】
ホースは、接続パイプ部を設けた側と反対側のホース先端部に係止部に係止される係止片を設けたことを特徴とする請求項１〜３のいずれか１項に記載の電気掃除機。
【請求項５】
床ノズルを接続した延長管を係止部に係止する際、前記床ノズルに設けた吸い込み開口部が下向きで、且つ床面とほぼ接する高さとなる様に延長管の係止片と前記係止部の位置を設定したことを特徴とする請求項１〜４いずれか１項に記載の電気掃除機。
【請求項６】
複数の係止部の内少なくとも下方に位置する係止部は、斜め上方に係止片を挿入する為の開口部を設けたことを特徴とする請求項１〜５のいずれか１項に記載の電気掃除機。
【発明の詳細な説明】
【技術分野】
【０００１】
本発明は、ホース、延長管、床ノズルを電気掃除機本体に小さく収納できる電気掃除機に関するものである。
【背景技術】
【０００２】
従来のこの種の掃除機について、図７を用いて説明する。電気掃除機本体１に接続したホース２、床ノズル３、延長管４、５によって掃除機ができるものである。この延長管５には、収納する時に使用する延長管ストッパー６が形成されている。前記延長管ストッパー６には、電機掃除機本体１に引っ掛けられ、また同時に延長管５が取り付けられる構成にもなっている（例えば、特許文献１参照）。
【０００３】
この構成において、掃除が済んで電機掃除機本体１を片付ける時に、延長管４と５を外し延長管４には床ノズル３が接続された状態で、延長管ストッパー６に固定し、さらに延長管５を延長管ストッパー６にて延長管５に接続できるようになっている。これにより、延長管４と５を接続して収納した状態よりも、延長管１本分の高さを低くすることができる。
【特許文献１】特開平３−２３７９５２号公報
【発明の開示】
【発明が解決しようとする課題】
【０００４】
しかしながら、前記従来の構成においては、延長管を分割して収納せねばならず、延長管を分割する構成が必要であった。また、分割した第一の延長管を本体に固定した後、さらに第二の延長管を第一の延長管に固定する構成としているため、第二の延長管を接続する際には延長管固定部が不安定であるので、第二の延長管は固定部への装着が容易ではなかった。
【０００５】
本発明は、このような問題点を解決するものであり、利用者が煩雑な操作を行うことなく電機掃除機本体の全高を低くして収納することができる電気掃除機を提供することを目的とする。
【課題を解決するための手段】
【０００６】
前記従来の課題を解決するために、本発明の電気掃除機本体は塵埃を吸引する為の吸引風を発生する電動送風機と前記電動送風機の上流側に設けた塵埃を捕集する集塵室と前記集塵室に連通する吸気口とを有する電機掃除機本体と、前記吸気口に接続パイプ部によって接続されるホースと、前記ホースに接続される延長管と、前記延長管の先端に連結される床ノズルとを具備し、前記電機掃除機本体は、延長管及び／又はホースを固定する為の係止部を底面に複数備え、前記ホース及び前記延長管は前記係止部に係止される係止片をそれぞれ備えたことを特徴とするものである。
【０００７】
これによって延長管固定部を通常での収納状態と、床ノズルを屈曲した状態で取り付けることができるコンパクト収納状態の二通りが選択することができる。これにより利用者の収納場所の利用状況に応じて容易かつコンパクトに収納を行うことができる。
【０００８】
また、ホース先端のホースハンドル部に係止部に係合される係止片を設けることにより、ホースハンドル部も本体底面部に固定することができる。これにより更に収納状態の高さをより一層低くすることができる。
【０００９】
これらにより利用者が延長管を容易に固定でき、またコンパクトに電機掃除機本体を収納することができる。
【発明の効果】
【００１０】
電気掃除機の底面に延長管やホースを固定するための係止部を複数設けることにより、容易かつコンパクトに電機掃除機本体を収納することができる。
【発明を実施するための最良の形態】
【００１１】
第１の発明は、塵埃を吸引する為の吸引風を発生する電動送風機と前記電動送風機の上流側に設けた塵埃を捕集する集塵室と前記集塵室に連通する吸気口とを有する電機掃除機本体と、前記吸気口に接続パイプ部によって接続されるホースと、前記ホースに接続される延長管と、前記延長管の先端に連結される床ノズルとを具備し、前記電機掃除機本体は、延長管及び／又はホースを固定する為の係止部を底面に複数備え、前記ホース及び前記延長管は前記係止部に係止される係止片をそれぞれ備えたことにより、電機掃除機本体の収納場所に応じて延長管に設けた係止片を最適な係止部に係止するだけで、電機掃除機本体を容易に収納することができる。
【００１２】
第２の発明は、特に第１の発明において複数の係止部は、電気掃除機本体を立てた状態において互いに高さが異なるように設けたことで、利用者が電機掃除機本体を収納する場所により収納状態の高さを選択することができる。
【００１３】
第３の発明は、特に第１または２の発明において、円筒形状のコード巻取り装置を有し、複数の係止部の内少なくとも１つを前記コード巻取り装置の外周と電機掃除機本体の底面との間で構成される空間に位置させたことで、コード巻取り装置の収納部の設計上利用されない場所を利用することができ、電機掃除機本体の大きさを変えることなく係止部を設けることを図っている。
【００１４】
第４の発明は、特に第１〜３のいずれか一つの発明において、ホースは、接続パイプ部を設けた側と反対側のホース先端部に係止部に係止される係止片を設けたことで、延長管と共にホース部も本体の係止部に係合することができ、コンパクトかつ安定した状態で電機掃除機本体を収納することができる。
【００１５】
第５の発明は、特に第１〜４いずれか一つの発明において、床ノズルを接続した延長管を係止部に係止する際、前記床ノズルに設けた吸い込み開口部が下向きで、且つ床面とほぼ接する高さとなる様に延長管の係止片と前記係止部の位置を設定したことにより、コンパクトに収納した状態で利用者が電機掃除機本体を持ち運びしようとした場合、持ち運び後に電機掃除機本体を床面に降ろす際には、床ノズル後端が電機掃除機本体に当接して伸長しない状態で保持されているので、床ノズル部分が電機掃除機本体よりも床面に先当りすることがなく係止部と係止片の係止は収納状態での移動を行っても外れることはない。
【００１６】
第６の発明は、特に第１〜５いずれか一つの発明において、複数の係止部の内少なくとも下方に位置する係止部は、斜め上方に係止片を挿入する為の開口部を設けたことにより利用者が立った状態で低い側の延長管固定部に係合する場合にも、容易に係止部に係止片を挿入することができる。
【００１７】
以下、本発明の実施の形態について、図面を参照しながら説明する。なお、この実施の形態によって本発明が限定されるものではない。
【００１８】
（実施の形態１）
図１、２は、本発明の第１の実施の形態における電気掃除機の収納状態を示す。図３、４は、本発明の第１の実施の形態における電気掃除機の構成を示す。図５は、本発明の第１の実施の形態における電気掃除機の断面を示す。
【００１９】
図において、２１は、前側に上方開口状の集塵室２２を形成し、後方には塵埃吸引用の電動送風機２３、電源コード２４（図示せず）を巻装したコード巻取り装置２５などを組み込んだ電気掃除機本体で、前記集塵室２２には集塵を集積するダストボックス２６を着脱自在に取着し、その上方開口を覆うように蓋体２７が電機掃除機本体２１に回動自在に配設されている。また、電機掃除機本体２１の前方にはホース２８の接続パイプ部２９が取着される吸気口３０を形成したフロントカバー３１が取り付けられており、ホース２８のホース先端部３２には電機掃除機本体と係合できる係合片としてのつめ部Ａ３７が取り付けられている。さらに、床ノズル３３が延長管３４を介して取り付けられており、延長管３４には電機掃除機本体との係合可能な係合片としてのつめ部Ｂ３８が取り付けられている。また、電機掃除機本体２１には持ち運び用の取っ手部３９も具備している。
【００２０】
図３において、電機掃除機本体２１の底面に移動用のキャスター３５、また延長管およびホース先端部３２に設けた係合片としてのつめ部Ａ３７、Ｂ３７と係合できる係止部としての溝部Ａ１０、溝部Ｂ１１が備え付けられており、ホース先端部３２のつめ部Ａ３７および延長管３４のつめ部Ｂ３８どちらでも係合できるようになっている。また溝部Ｂ１１は電機掃除機本体２１と別部品で取り付けられており、側面にローラー３６を配設している。また、床ノズル３３は、床ノズルを回動可能にするための床ノズル回動軸４５を有している。また、図４において、溝部Ｂ１１は、円形のコード巻取り装置２５と電気掃除機本体２１の底面との間で形成される空間２５ａに位置する部分に設けている。また、溝部Ｂ１１は集塵室２２と電動送風機２３と横断して部品を配している。
【００２１】
以上のように構成された電気掃除機において、以下その動作、作用を説明する。
【００２２】
掃除が済んで電機掃除機本体２１を収納する時、延長管３４とホース２８を外し、ホース先端部３２のつめ部Ａ３７および延長管３４のつめ部Ｂ３８をそれぞれ、電機掃除機本体２１下面にある溝部Ａ１０、溝部Ｂ１１に係合させる。このときに、ホース２８は電機掃除機本体２１に巻きつけるように収納する。また、溝部Ｂ１１を溝部Ａ１０よりも低い位置に設けることで収納時の全高は低くなる。前記両方の係合部は電機掃除機本体２１に直接取り付ける構成であるため、前記各係合部は安定しており、収納状態でも取り付けが不安定になることはない。また、つめ部Ａ３７及びつめ部Ｂ３８を収納する溝部が２ヶ所設けているので、延長管３４とホース先端部３２を外さず延長管３４のつめ部Ｂ３８を電機掃除機本体下面に収納する状態も可能であり、電機掃除機本体の収納場所によって利用者が電機掃除機本体の収納高さを選択することができる。
【００２３】
また、低い位置に設けた溝部Ｂ１１をコード巻取り装置２５近傍に設けることで、コード巻取り装置２５が円形状であるため、電機掃除機本体構成として利用が難しい部分を有効活用でき、溝部を複数設けたとしても電機掃除機本体構成を大きくする必要がない。さらに、電機掃除機本体後方から見て左側に低く設けた溝部を備えることで、右利きの利用者が低い延長管３４のつめ部Ａ３７を利用しやすくなる。
【００２４】
また、低く設けた溝部Ｂ１１を斜め上方に開口部にすることにより、利用者が延長管３４に備えられたつめ部Ａ３７を溝部Ｂ１１へ挿入が容易になり、利用者が挿入を行うためにわざわざ腰をかがめたりする必要がない。
【００２５】
さらに、溝部Ｂ１１は樹脂成形の別部品で構成することにより、成型時に赤色などの周囲と異なる色をつけることで、目標が定まりやすくなり利用者が挿入しやすくすることができる。
【００２６】
（実施の形態２）
図５は、本発明の第２の実施の形態における電機掃除機本体に収納した状態の側面図である。図６は、本発明の第２の実施の形態における電機掃除機本体に収納した状態で利用者が持ち上げた際の側面図である。図５、６において図１、２、３および４と同じ構成要素については同じ符号を用い、説明を省略する。
【００２７】
利用者は電機掃除機本体に収納した状態で、取っ手部３９を持ち収納場所へと移動する。持ち上げた状態では、掃除機の下面側にホース２８、延長管３４および床ノズル３３を収納しているため、電機掃除機本体はその重量によりやや前傾し、掃除機の下面側に傾いた状態になる。そのため、床ノズル３３はその自重で床ノズル先端部４０が垂れ下がろうとするが、床ノズル３３が伸長しない位置に延長管３４のつめ部Ｂ３８が嵌合する位置に溝部Ｂ１１を設けているため、床ノズル後端４１が電機掃除機本体２１の下面側に設けた傾斜部２１ａに当接し、電機掃除機本体２１を床面に降ろす際にも床ノズル先端部４０が床面に先当たりせず、つめ部Ｂ３８と溝部Ｂ１１が外れる心配はない。これにより、利用者はコンパクトに収納した状態でも、容易に電機掃除機本体を持ち運びすることができる。
【産業上の利用可能性】
【００２８】
以上のように、本発明にかかる電気掃除機は、収納状態での容積を小さくしながらも容易に持ち運びができるので、使用性を向上し、特に家庭、業務用等の電気掃除機に有用である。
【図面の簡単な説明】
【００２９】
【図１】本発明の実施の形態１における電気掃除機の収納状態の斜視図
【図２】本発明の実施の形態１における電気掃除機の収納状態の斜視図
【図３】本発明の実施の形態１における電気掃除機の構成図
【図４】本発明の実施の形態１における電気掃除機の断面図
【図５】本発明の実施の形態２における電気掃除機の収納状態の側面図
【図６】本発明の実施の形態２における電気掃除機の収納状態の側面図
【図７】従来の電気掃除機の収納状態の斜視図
【符号の説明】
【００３０】
１０  溝部Ａ（係止部）
１１  溝部Ｂ（係止部）
２１  電機掃除機本体
２２  集塵室
２３  電動送風機
２５  コード巻取り装置
２８  ホース
２９  接続パイプ部
３０  吸気口
３２  ホース先端部
３３  床ノズル
３４  延長管
３７  つめ部Ａ（係止片）
３８  つめ部Ｂ（係止片）
３９  取っ手部
【図１】
2008212387.tif 000003
【図２】
2008212387.tif 000004
【図３】
2008212387.tif 000005
【図４】
2008212387.tif 000006
【図５】
2008212387.tif 000007
【図６】
2008212387.tif 000008
【図７】
2008212387.tif 000009